(57)【要約】      （修正有）【課題】作業者の作業効率を向上させる光ケーブル接続用クロージャを提供する。【解決手段】光ケーブル接続用クロージャ１０を片面が開閉自在の構成とされたスリーブ３８と、スリーブ３８内の背面側に長手方向に沿って取り付けられ、上流側の光ファイバ心線Ｂと下流側の光ファイバ心線Ｂを接続させるための心線接続部１６を収納する心線接続部収納部１４が形成された成端用背面トレイと、スリーブ３８に覆われるとともに、スリーブ３８内に形成されたトレイ係止部材２０に軸支されることで、トレイ係止部材２０を軸中心としてスリーブ３８内において回動自在に配置された成端用ベーストレイ１８とを備えるクロージャ本体３６が設けられ、成端用ベーストレイ１８は、その裏面側に下流側の光ファイバ心線Ｂを引き込み、入射される光信号を分岐するスプリッタ２４を取り付け可能なスプリッタトレイ２２が備えられる構成とした。【選択図】図１
2014235227.tif 000002
【特許請求の範囲】
【請求項１】
片面が開閉自在の構成とされたスリーブと、
前記スリーブ内の背面側に長手方向に沿って取り付けられ、上流側の光ファイバ心線と下流側の光ファイバ心線を接続させるための心線接続部を収納する心線接続部収納部が形成された成端用背面トレイと、
前記スリーブに覆われるとともに、当該スリーブ内に形成されたトレイ係止部材に軸支されることで、当該トレイ係止部材を軸中心として前記スリーブ内において回動自在に配置された成端用ベーストレイと、
を備えるクロージャ本体が設けられ、
前記成端用ベーストレイには、その裏面側に前記下流側の光ファイバ心線を引き込み、入射される光信号を分岐するスプリッタを取り付け可能なスプリッタトレイが備えられていることを特徴とする光ケーブル接続用クロージャ。
【請求項２】
前記スプリッタトレイは、前記成端用ベーストレイの裏面側に形成されているトレイ固定用ヒンジ部において、回動自在に備えられていることを特徴とする請求項１記載の光ケーブル接続用クロージャ。
【請求項３】
前記トレイ固定用ヒンジ部は、備えられた前記スプリッタトレイを所定角度の位置にて保持可能なヒンジ構成からなることを特徴とする請求項２記載の光ケーブル接続用クロージャ。
【請求項４】
前記成端用ベーストレイの表面側には、前記スプリッタにより分岐された光信号を受け、前記成端用ベーストレイの裏面側から表面側へと配線されるファンアウトコードの分岐部材を収納する分岐部材収納部が備えられていることを特徴とする請求項１〜３何れか１項記載の光ケーブル接続用クロージャ。
【請求項５】
前記成端用ベーストレイの表面側には、前記ファンアウトコードと、下流側の光ファイバ心線を接続させるための接続部材を収納する接続部材収納部が備えられていることを特徴とする請求項４記載の光ケーブル接続用クロージャ。
【請求項６】
前記分岐部材は、底面側の長手方向側縁の所定位置に、相対する１対の挟持部材が突設されており、当該挟持部材により、他の分岐部材を挟持させることで、それらを段積み状態に構成させることができることを特徴とする請求項４又は５記載の光ケーブル接続用クロージャ。
【請求項７】
前記成端用ベーストレイの裏面側には、上流側の光ファイバ心線と、下流側の単心ドロップケーブルとを接続させるためのドロップケーブル接続部材を収納するドロップケーブル接続部材収納部が形成されたドロップトレイが備えられていることを特徴とする請求項１〜６何れか１項記載の光ケーブル接続用クロージャ。
【請求項８】
前記ドロップトレイは、前記成端用ベーストレイの裏面側に形成されているトレイ固定用ヒンジ部において、回動自在に備えられていることを特徴とする請求項７記載の光ケーブル接続用クロージャ。
【請求項９】
前記ドロップトレイは、前記トレイ固定用ヒンジ部により、所定角度の位置にて保持可能となっていることを特徴とする請求項８記載の光ケーブル接続用クロージャ。
【請求項１０】
前記スプリッタトレイ及び成端用ベーストレイには、前記ファンアウトコードや、前記ドロップケーブルを挿脱自在に固定保留する保留部材が嵌脱自在に取り付けられていることを特徴とする請求項１〜９何れか１項記載の光ケーブル接続用クロージャ。
【請求項１１】
前記スリーブが、分割スリーブからなるとともに、前記クロージャ本体の設置位置により作業が可能の方向であるスリーブ面を開放可能の構成とし、片開きに開放されたスリーブを所定位置に保持するスリーブストッパを前記分割スリーブ間に跨がって係脱自在に設けたことを特徴とする請求項１〜１０何れか１項記載の光ケーブル接続用クロージャ。
【発明の詳細な説明】
【技術分野】
【０００１】
本発明は、通信ケーブル、特に光ファイバ心線を有する光ケーブルの架空区間のアクセス区間において、固定配線区間の配線点やケーブル接続点における通過心線接続並びに架空光ケーブルとドロップケーブルの接続のために用いられ、光ケーブルの接続部を保護するとともに、作業現場において、容易に光ケーブルの分配及び分岐接続配線の運用ができる光ケーブル接続用クロージャに関するものである。
【背景技術】
【０００２】
従来から、光ケーブルの分岐や、引き込み、接続等を行う場合、クロージャ内において光ケーブル心線相互を接続するとともに、この接続部と、光ケーブル心線の余長分とを収納するための心線接続余長収納トレイを備えた光ケーブル接続用クロージャが知られている。
【０００３】
例えば、特許文献１には、光ファイバ心線を接続するためのコネクタを収納するコネクタ収納部と、該コネクタ収納部に隣接して設けた分岐光ファイバ心線の心線余長を収納する心線余長収納部とを備えた成端トレイと、該心線余長収納部に収納されている分岐光ファイバ心線を配線するための配線用把持具ベースとをクロージャ本体内に左右非対称に設けた光ケーブル接続用クロージャであって、前記クロージャ本体のスリーブが片面および／または両面を開閉自在の構成とし、該クロージャ本体内に設置される成端トレイを固定するフレームの両側上面にケーブルテンションメンバの固定部を上面側から固定できる構成として備えると共に、前記成端トレイに複数の心線接続部のコネクタ収納部と、全接用接続部と、通信事業者側および加入者側の保留心線接続部と、接続部ホルダとの収納部とした多目的接続部収納部とを配備したことを特徴とする光ケーブル接続用クロージャが開示されている。
【０００４】
この技術によると、上部側（上流側の通信事業者側）、下部側（下流側の加入者側）に対する光ケーブル接続用クロージャの設置方向を決定する際に、事前に固定されたクロージャ全体を左右反対にひっくり返すことで即座に対応することができるため、現場での心線接続作業の簡素化が図れるとされている。
【０００５】
また、クロージャの組状態にて、心線把持具ベースが一方側に設置されているので、接続固定部を付け替える必要がなく、心線接続作業を楽に行えるとともに、支持線、テンションメンバの固定作業もクロージャの上面からアクセスでき、光ケーブルからの引き落とし配線及び分岐接続配線の際に、コネクタ固定ベースを上部側、下部側に付け替える必要がなく、上部側に事前固定しておけばよいため、他の心線に影響を与えることなく単心運用でき、空いている心線は、その後のユーザーの加入等に必要な単心線として用いることができるため、心線使用効率を高めることができるとされている。
【０００６】
さらに、心線接続・収納は、コネクタ接続可能の構成となっているため、接続作業や心線収納作業、接続状況の点検補修等の保守作業を含め、施工性を大幅に向上させることができるほか、単心に分離した心線を保護することができるため、光ケーブルの有効利用が可能となり、また、心線の下部延ばしや、架空ループ配線にも対応でき、しかも、一端分岐した心線を再度本線に戻すこともできるといった、光アクセスサービスを迅速で安価に提供することができるとされている。
【０００７】
また、引用文献２には、光ケーブル心線の接続部となるソケットおよびプラグからなるコネクタを収納するコネクタ収納部と、心線余長を収納する心線余長収納部とを備えた成端トレイ並びにスプリッタトレイをそれぞれクロージャ本体内に内装する光ケーブル接続用クロージャであって、複数のコネクタを着脱自在に備えた成端盤を配備して、該成端盤を経由してさらにスプリッタトレイ内のスプリッタを介して接続されるテープ心線と、ＤＳ／Ｒ・ＴＤケーブルおよびドロップケーブルとに接続されてそれぞれコネクタ接続を可能にした構成とし、これら各接続部のコネクタと余長心線部とを整理する成端トレイおよび／またはスプリッタトレイを複数クロージャ本体内に変位自在に備えたことを特徴とする光ケーブル接続用クロージャが開示されている。
【０００８】
この技術によると、光ケーブルからの引き落し配線および分岐接続配線の際に、他の心線に影響を与えないで単心運用でき、空いている心線は、その後のユーザーの加入になどの必要な単心線として用いて心線使用効率を高め、心線接続・収納はモジュール化しコネクタ接続可能の構成として接続作業や心線収納作業、さらには接続状況の点検補修などの保守作業を含め施工性を大幅に向上させるほか、単心に分離した心線を保護することができて、光ケーブルの有効利用が可能で、心線の下部延ばしや、架空ループ配線にも対応でき、しかも一旦分岐した心線を再度本線に戻すこともできるなど光アクセスサービスを迅速で安価に提供できるし、引き落し配線および分岐接続配線とそのコネクタ接続部とを収納するための機能が異なるトレイを回動自在で着脱自在にトレイ固定ベースに複数も設けることも可能で、機能要求に対して必要となる各トレイを簡単に増設、撤去でき心線接続作業が著しく簡易、良好でケーブルの切り替え配線処理も楽にできて取扱い簡便なクロージャとすることができるとしている。
【０００９】
さらに、スプリッタトレイが、前記成端盤に接続する心線にプラグを設けられると共に、各成端トレイに接続される複数の心線にソケットを設けたスプリッタが配備されてコネクタ接続を可能にしたスプリッタトレイに構成されると、成端盤からのスプリッタ入力心線をスプリッタに接続して成端トレイに接続する配線系として簡素化され取扱も容易で作業員の接続誤処理をなくし、作業の均一性を図って品質維持が図れるとしている。
【先行技術文献】
【特許文献】
【００１０】
【特許文献１】特開２００８−６５０３７号公報
【特許文献２】特開２００７−１２１６０３号公報
【発明の概要】
【発明が解決しようとする課題】
【００１１】
しかしながら、特許文献１に開示されている光ケーブル接続用クロージャは、その構成に必要な部品が多いことから（例えば、成端トレイを支持するフレーム等）、全体として大型な構成となってしまい、そのため、重量も重くなってしまい、設置作業が煩雑なものとなってしまうといった指摘がされている。
【００１２】
また、成端トレイがフレームに一定の方向で固定される構成となっているため、一方の面でしかコネクタ接続することができない成端トレイを用いらざるを得ず、光ケーブルの保守管理や、後の分岐作業等が煩雑なものとなってしまうという指摘もあった。また、仮に、表裏面においてコネクタ接続が可能な成端トレイを用いたとしても、その成端トレイに対する作業を行う際には、例えば、作業者が光ケーブル接続用クロージャの下側に回り込むといった動作が必要となり、作業効率の面における改善が必要となる。
【００１３】
そして、特許文献２に開示されている光ケーブル接続用クロージャは、クロージャ本体内に成端トレイおよび／またはスプリッタトレイを複数備え、このスプリッタトレイにスプリッタを配備するといった構成となっているが、特許文献１と同様に、全体として大型な構成となってしまい、本来、大型な光ケーブル接続用クロージャを必要としない小規模現場においては、コスト面や、作業面で無駄が多いという指摘がされている。
【００１４】
さらに、成端トレイおよび／またはスプリッタトレイが、クロージャ本体内において、複数の層を構成するように配置されているため、配線作業や、分岐作業等が煩雑なものとなってしまい、作業効率の面における改善が必要とされてきている。  
【００１５】
本発明は、上述の問題を解決するためのもので、構成のシンプル化を図ることで装置全体の小型化及び軽量化が図れ、さらに、コネクタ接続や、分岐接続、さらに、ドロップ接続が可能な成端用ベーストレイに対する作業をより簡便に行うことができる構成とすることで、作業者の作業効率を向上させる光ケーブル接続用クロージャを提供することを目的としている。
【課題を解決するための手段】
【００１６】
上述の課題に対応するため、本発明は、以下の技術的手段を講じている。
即ち、請求項１記載の発明は、片面が開閉自在の構成とされたスリーブと、前記スリーブ内の背面側に長手方向に沿って取り付けられ、上流側の光ファイバ心線と下流側の光ファイバ心線を接続させるための心線接続部を収納する心線接続部収納部が形成された成端用背面トレイと、前記スリーブに覆われるとともに、当該スリーブ内に形成されたトレイ係止部材に軸支されることで、当該トレイ係止部材を軸中心として前記スリーブ内において回動自在に配置された成端用ベーストレイとを備えるクロージャ本体が設けられ、前記成端用ベーストレイには、その裏面側に前記下流側の光ファイバ心線を引き込み、入射される光信号を分岐するスプリッタを取り付け可能なスプリッタトレイが備えられていることを特徴とする光ケーブル接続用クロージャである。
【００１７】
また、請求項２記載の発明は、請求項１記載の光ケーブル接続用クロージャであって、前記スプリッタトレイは、前記成端用ベーストレイの裏面側に形成されているトレイ固定用ヒンジ部において、回動自在に備えられていることを特徴としている。さらに、請求項３記載の発明は、請求項２記載の光ケーブル接続用クロージャであって、前記トレイ固定用ヒンジ部は、備えられた前記スプリッタトレイを所定角度の位置にて保持可能なヒンジ構成からなることを特徴としている。
【００１８】
そして、請求項４記載の発明は、請求項１〜３いずれか１項記載の光ケーブル接続用クロージャであって、前記成端用ベーストレイの表面側には、前記スプリッタにより分岐された光信号を受け、前記成端用ベーストレイの裏面側から表面側へと配線されるファンアウトコードの分岐部材を収納する分岐部材収納部が備えられていることを特徴としている。さらに、請求項５記載の発明は、請求項４記載の光ケーブル接続用クロージャであって、前記成端用ベーストレイの表面側には、前記ファンアウトコードと、下流側の光ファイバ心線を接続させるための接続部材を収納する接続部材収納部が備えられていることを特徴としている。
【００１９】
また、請求項６記載の発明は、請求項４又は５記載の光ケーブル接続用クロージャであって、前記分岐部材は、底面側の長手方向側縁の所定位置に、相対する１対の挟持部材が突設されており、当該挟持部材により、他の分岐部材を挟持させることで、それらを段積み状態に構成させることができることを特徴としている。さらに、請求項７記載の発明は、請求項１〜６いずれか１項記載の光ケーブル接続用クロージャであって、前記成端用ベーストレイの裏面側には、上流側の光ファイバ心線と、下流側の単心ドロップケーブルとを接続させるためのドロップケーブル接続部材を収納するドロップケーブル接続部材収納部が形成されたドロップトレイが備えられていることを特徴としている。
【００２０】
またさらに、請求項８記載の発明は、請求項７記載の光ケーブル接続用クロージャであって、前記ドロップトレイは、前記成端用ベーストレイの裏面側に形成されているトレイ固定用ヒンジ部において、回動自在に備えられていることを特徴としている。そして、請求項９記載の発明は、請求項８記載の光ケーブル接続用クロージャであって、前記ドロップトレイは、前記トレイ固定用ヒンジ部により、所定角度の位置にて保持可能となっていることを特徴としている。
【００２１】
次に、請求項１０記載の発明は、請求項１〜９何れか１項記載の光ケーブル接続用クロージャであって、前記スプリッタトレイ及び成端用ベーストレイには、前記ファンアウトコードや、前記ドロップケーブルを挿脱自在に固定保留する保留部材が嵌脱自在に取り付けられていることを特徴としている。
【００２２】
そして、請求項１１記載の発明は、請求項１〜１０何れか１項記載の光ケーブル接続用クロージャであって、前記スリーブが、分割スリーブからなるとともに、前記クロージャ本体の設置位置により作業が可能の方向であるスリーブ面を開放可能の構成とし、片開きに開放されたスリーブを所定位置に保持するスリーブストッパーを前記分割スリーブ間に跨がって係脱自在に設けたことを特徴としている。
【発明の効果】
【００２３】
本発明によると、光ケーブル接続用クロージャの構成をシンプルなものとすることができるため（例えば、成端用ベーストレイを支持するためのフレームを必要としない）、装置全体の小型化及び軽量化が望める。また、成端用ベーストレイが回動自在にクロージャ本体内に取り付けられているため、作業面側において表裏どちらからでもアクセスが容易なものとなり、作業が簡便に行える。
【００２４】
またさらに、成端用背面トレイに心線接続部収納部が形成されているため、例えば、一旦、スプリッタ側に接続した光ファイバ心線を下流側の光ファイバ心線（本線）に接続しなおす（下部延ばし）といった作業も容易に行うことができる。また、スリーブの開閉状態を容易に調整することが可能なため、作業性の向上も望める。
【００２５】
さらに、成端用ベーストレイの裏面側に、スプリッタを取り付け可能なスプリッタトレイが備えられているため、現場における作業効率が大幅に向上することに繋がる。
【図面の簡単な説明】
【００２６】
【図１】本発明に係る光ケーブル接続用クロージャの第１の実施形態を示した図で、（ａ）は成端用ベーストレイを作業面側に倒した状態の縦断面概略図、（ｂ）はスプリッタトレイを取り付けた成端用ベーストレイを作業面側に倒した状態の縦断面概略図である。
【図２】本発明に係る光ケーブル接続用クロージャの第１の実施形態における成端用ベーストレイの正面を示したもので、（ａ）は接続部材が取り付けられていない状態、（ｂ）は接続部材が右側に取り付けられている状態、（ｃ）は接続部材が左側に取り付けられている状態の概略図である。
【図３】本発明に係る光ケーブル接続用クロージャの第１の実施形態における成端用ベーストレイに備えられたスプリッタトレイを示したもので、（ａ）はスプリッタを取り付けた状態、（ｂ）はスプリッタを取り付けていない状態の素線面側、（ｃ）はスプリッタを取り付けていない状態のテープ面側の構成を示した概略図である。
【図４】本発明に係る光ケーブル接続用クロージャの第１の実施形態における分岐部材の構成を示したもので、（ａ）は平面図、（ｂ）は正面図、（ｃ）は右側面図、（ｄ）は左側面図、
【図５】本発明に係る光ケーブル接続用クロージャの第１の実施形態における分岐部材の段積み工程を示した正面図である。
【図６】本発明に係る光ケーブル接続用クロージャの第１の実施形態における接続部材の構成を示したもので、（ａ）は蓋部を止めた状態の平面図、（ｂ）は蓋部を止めた状態の正面図、（ｃ）は蓋部を外した状態の平面図、（ｄ）は蓋部を外した状態の正面図である。
【図７】本発明に係る光ケーブル接続用クロージャの第１の実施形態におけるスリーブの構成を示したもので、（ａ）は片面が開いた状態のスリーブ側面図、（ｂ）は閉じた状態のスリーブ側面図である。
【図８】本発明に係る光ケーブル接続用クロージャの第２の実施形態を示した図で、（ａ）は成端用ベーストレイを作業面側に倒した状態の縦断面概略図、（ｂ）はスプリッタトレイ及びドロップトレイを取り付けた成端用ベーストレイを背面側に立ち上げた状態の縦断面概略図である。
【図９】本発明に係る光ケーブル接続用クロージャの第２の実施形態における成端用ベーストレイに備えられたドロップトレイを示したもので、（ａ）は素線面側、（ｂ）はテープ面側の構成を示した概略図である。
【図１０】本発明に係る光ケーブル接続用クロージャの実施形態における保留部材を示したもので、（ａ）は正面図、（ｂ）は平面図、（ｃ）は右側面図である。
【図１１】本発明に係る光ケーブル接続用クロージャの実施形態における成端用ベーストレイの裏面側にスプリッタトレイと、保留部材を取り付け、背面側に倒した状態を示した概略図である。
【図１２】本発明に係る光ケーブル接続用クロージャの実施形態における通過心線ガイドの構成を示したもので、（ａ）は正面図、（ｂ）は平面図、（ｃ）は右側面図である。
【図１３】本発明に係る光ケーブル接続用クロージャの実施形態における端面板を示した図で、（ａ）は上流側端面板、（ｂ）は配線機能専用時の下流側端面板、（ｃ）は、ドロップ専用時の下流側端面板を表している。
【図１４】本発明に係る光ケーブル接続用クロージャの実施形態におけるケーブルを把持する把持部材を示した図で、（ａ）はケーブル固定部、（ｂ）はケーブル把持具、（ｃ）はケーブルを把持具によりケーブル固定部に固定させた状態を示した図である。
【発明を実施するための形態】
【００２７】
本発明に係る光ケーブル接続用クロージャの第１の実施形態について図１〜６を参照しながら説明する。
図１は、本発明に係る光ケーブル接続用クロージャの実施形態を示した図で、（ａ）は成端用ベーストレイを作業面側に倒した状態の縦断面概略図、（ｂ）はスプリッタトレイを取り付けた成端用ベーストレイを作業面側に倒した状態の縦断面概略図である。また、図２は、本発明に係る光ケーブル接続用クロージャの実施形態における成端用ベーストレイの正面を示したもので、（ａ）は接続部材が取り付けられていない状態、（ｂ）は接続部材が右側に取り付けられている状態、（ｃ）は接続部材が左側に取り付けられている状態の概略図である。
【００２８】
さらに、図３は、本発明に係る光ケーブル接続用クロージャの実施形態における成端用ベーストレイに備えられたスプリッタトレイを示したもので、（ａ）はスプリッタを取り付けた状態、（ｂ）はスプリッタを取り付けていない状態の素線面側、（ｃ）はスプリッタを取り付けていない状態のテープ面側の構成を示した概略図である。また、図４は、本発明に係る光ケーブル接続用クロージャの実施形態における分岐部材の構成を示したもので、（ａ）は平面図、（ｂ）は正面図、（ｃ）は右側面図、（ｄ）は左側面図である。さらに、図５は、本発明に係る光ケーブル接続用クロージャの実施形態における分岐部材の段積み工程を示した正面図である。
【００２９】
そして、図６は、本発明に係る光ケーブル接続用クロージャの実施形態における接続部材の構成を示したもので、（ａ）は蓋部を止めた状態の平面図、（ｂ）は蓋部を止めた状態の正面図、（ｃ）は蓋部を外した状態の平面図、（ｄ）は蓋部を外した状態の正面図である。さらに、図７は、本発明に係る光ケーブル接続用クロージャの第１の実施形態におけるスリーブの構成を示したもので、（ａ）は片面が開いた状態のスリーブ側面図、（ｂ）は閉じた状態のスリーブ側面図である。
【００３０】
なお、１０は光ケーブル接続用クロージャ、１２は成端用背面トレイ、１４は心線接続部収納部、１６は心線接続部、１８は成端用ベーストレイ、２０はトレイ係止部材、２２はスプリッタトレイ、２４はスプリッタ、２６はトレイ固定用ヒンジ部、２８は分岐部材収納部、３０は分岐部材、３１は挟持部材、３２は摘み部、３３は接続部材収納部、３４は接続部材、３５は蓋部、３６はクロージャ本体、３８はスリーブ、４０はスリーブストッパー、４２はピン、４３は係止溝、４４は上流側端面板、４６は下流側端面板、５０はケーブル把持部材、５２はケーブル固定部、５４はケーブル把持具、５６は引っ掛け部、６０は心線余長収納部、Ａは光ケーブル、Ｂは光ファイバ心線、Ｃは単心ドロップケーブル、Ｄは支持線、Ｅはファンアウトコードを示している。
【００３１】
図１に示すように、本実施形態における光ケーブル接続用クロージャ１０のクロージャ本体３６は、まず、ヒンジにて一体に連接され、片面が開閉自在に構成されたスリーブ３８に覆われる構成となっており、さらに、光ケーブルＡ及び支持線Ｄをシール部材を介して導入させる上流側端面板４４と、光ケーブルＡ、支持線Ｄをシール部材を介して導出入させる下流側端面板４６が両端にそれぞれ着脱自在に備えられている。
【００３２】
なお、端面板４４及び４６は、例えば、図１３（ａ）に示すように、上流側端面板４４には、支持線Ｄ挿入部と、主ケーブル（光ケーブルＡ）挿入部が形成されており、また、（ｂ）に示すように、下流側端面板４６には、支持線Ｄ挿入部と、主ケーブル（光ケーブルＡ）挿入部等の挿入部が形成されている。そして、ゴムやプラスチックの組み合わせにて、防滴が可能となっている。
【００３３】
そして、端面板４４、４６から導出入される光ケーブルＡは、ケーブル把持部材５０によって把持される構成となっており、詳しくは、図１４に示すように、光ケーブルＡを側面視コ字状のケーブル把持具５４の側壁間に挟み込んだ状態で（図１４（ａ）参照）、ケーブル把持具５４の両側壁をケーブル固定部５２のそれぞれ対応する嵌合孔に挿入させることで（図１４（ｂ）参照）、光ケーブルＡをケーブル把持部材５０に把持させるようになっている（図１４（ｃ）参照）。
【００３４】
また、クロージャ本体３６内には、上流側の光ファイバＡから所定箇所にて切り出した光ファイバ心線Ｂを下流側の光ファイバ心線Ｂ（スプリッタ：入力線）に接続させるための心線接続部１６を収納する心線接続部収納部１４が形成された成端用背面トレイ１２が備えられている。本実施形態においては、下流側の光ファイバ心線Ｂは、スプリッタ２４の出力側とコネクタ接続するための心線としている。
【００３５】
なお、光ケーブルＡは、上流側から下流側に向けてテンションメンバ切断せずに、成端用背面トレイ１２の前面側において結束バンド（図示せず）により収束させ、接続させない光ファイバ心線Ｂは、例えば、図１２に示すような通過心線ガイド４８によって、成端用背面トレイ１２の前面側（図示せず）において保持させた状態で、引き通す構成とするのが好ましい。また、例えば、単心ドロップケーブルＣのうち、上流側の光ファイバ心線Ｂと接続させない光ファイバ心線Ｂも同様に通過心線ガイド４８によって保持させることができることになる。
【００３６】
また、成端用背面トレイ１２に光ファイバ心線Ｂの心線余長部分を巻回させた状態で収納するための、心線余長収納部６０を心線接続部収納部１４の近傍に形成させておけば、光ファイバ心線Ｂの安全な保護管理を図れるようになるため、実施形態として非常に好ましい。
【００３７】
次に、裏面に下流側の光ファイバ心線Ｂ（入力線）を引き込み、その入力線から入射される光信号を分岐するスプリッタ２４を取り付け可能なスプリッタトレイ２２が備えられた成端用ベーストレイ１８が、その一端に形成されている引っ掛け部５６をクロージャ本体３６内に形成されたトレイ係止部材２０に引っ掛けることよって、トレイ係止部材２０を軸中心として回動自在に設けられている。
【００３８】
成端用ベーストレイ１８は、その一端に形成された２箇所の引っ掛け部５６をトレイ係止部材２０にそれぞれ引っ掛けることにより、クロージャ本体３６内に係止させた状態で、トレイ係止部材２０を軸中心に回動させることができるため、成端用ベーストレイ１８の表裏面に対する作業を作業者がわざわざ移動することなく行えるようになっており、作業効率の大幅な向上が可能となっている。
【００３９】
続いて、スプリッタトレイ２２は、図１（ｂ）に示すように、成端用ベーストレイ１８の裏面側に形成されているトレイ固定用ヒンジ部２６に回動自在に備えられている。図１（ｂ）においては、トレイ固定用ヒンジ部２６は、スプリッタトレイ２２を２段重ねて取り付けているが、この台数は、本発明を限定するものではない。また、本実施形態では、スプリッタトレイ２２を左側に取り付けているが、右側のトレイ固定用ヒンジ部２６に取り付けることで運用しても良い。
【００４０】
また、本実施形態においては、トレイ固定用ヒンジ部２６は、ヒンジ構造となっており、スプリッタ２４をトレイ固定用ヒンジ部２６に対し、所定角度において保持可能なものとなっている。このような構造とすることで、作業者のスプリッタ２４へのアクセスが極めて容易なものとなるわけである。なお、本実施形態では、トレイ固定用ヒンジ部２６をヒンジ構造としているが、スプリッタ２４を固定できるのであれば、どのようなヒンジ構造であっても構わない。
【００４１】
続いて、本実施形態におけるスプリッタトレイ２２は、図３（ａ）に示すように、内部にスプリッタ２４を挿入することによって機能させるもので、入力線を（ｂ）の素線面、また、出力線を（ｃ）のテープ面にて利用することにする。このように表裏面で区分けしているので、剛性差のある心線の混在を回避し、心線の保護が可能となってくるわけである。
【００４２】
次に、成端用ベーストレイ１８の表面側には、スプリッタ２４により分岐された光信号を受ける、成端用ベーストレイ１８の表面側から裏面側へと配線されるファンアウトコードＥの分岐部材３０を収納する分岐部材収納部２８が備えられている。本実施形態では、ファンアウトコードＥは、分岐部材３０を境に、上流側が、ファンアウトコード（０９チューブ）、下流側が、ファンアウトコード（心線）としている。
【００４３】
また、分岐部材３０は、図４に示すように、底面側の長手方向側縁の所定位置に、相対する１対の挟持部材３１が突設されており、この挟持部材３１により、他の分岐部材３０を挟持させることで、図５に示すように、それらを段積み状態に構成させることができるようになっている。また、段積みされた上段の分岐部材３０の摘み部３２を摘むことで、挟持部材３１を開放させれば、下段の分岐部材３０から簡単に取り外すことが可能である。なお、本実施形態では、挟持部材３１は、２箇所突設されているが、本発明は、この数に限定されるものではない。さらに、分岐部材３０の使用は、本発明に係る光ケーブル接続用クロージャだけに限られるものではない。
【００４４】
さらに、成端用ベーストレイ１８の表面側には、ファンアウトコードＥ（心線）と、下流側の光ケーブルＡから所定箇所にて切り出した光ファイバ心線Ｂとを接続させるための接続部材３４を収納する接続部材収納部３３が備えられている。接続部材収納部３３は、図６に示すように、一端側に形成されているヒンジ構造に接続部材収納部３３の長手方向と直交する長方形の蓋部３５が取り付けられている。そして、このヒンジ構造を軸にして、蓋部３５が回動し、接続部材収納部３３を覆うようになっており、収納する収納部材３４の外れ等を抑えることが可能となっている。
【００４５】
またさらに、本実施形態における光ケーブル接続用クロージャ１０のスリーブ３８は、図７に示すように、片面を開閉自在に構成された分割スリーブからなるとともに、クロージャ設置位置により作業が可能の方向のスリーブ面を開放可能の構成とし、片開きに開放されたスリーブ３８を所定位置に保持するスリーブストッパー４０を分割スリーブ間に跨って係脱自在に設けられている。そのため、作業時にスリーブ３８を外すことなく開拡するスリーブの開放状態を保持でき、作業効率の向上が望まれる。
【００４６】
本実施形態では、スリーブ３８は、ヒンジ構造により分割可能に一体で連接されているとともに、先端にフランジのあるピン４２が両端面に一対突設され、このピン４２に嵌合する係止溝４３が一端に１つ、他端に２つ設けられたスリーブストッパー４０が係脱自在に備えられるといった構成となっている。
【００４７】
スリーブ３８を閉じた状態では、図７（ｂ）に示すように、スリーブストッパー４０の一端側の外側の係止溝４３をスリーブ３８のピン４２に嵌合係止することで、日常に起こり得るスリーブ３８の劣化亀裂等による片面側の脱落等を防ぐことができるようになっている。
【００４８】
そして、一方の作業面側のスリーブ３８を開けた状態では、図７（ａ）に示すように、スリーブストッパー４０の一端側の内側の係止溝４３をスリーブ３８のピン４２に嵌合係止することで、スリーブ３８の開放状態を維持することができるようになっている。
【００４９】
次に、本発明に係る光ケーブル接続用クロージャの第２の実施形態について主に図８、９を参照しながら説明する。
図８は、本発明に係る光ケーブル接続用クロージャの第２の実施形態を示した図で、（ａ）は成端用ベーストレイを作業面側に倒した状態の縦断面概略図、（ｂ）はスプリッタトレイ及びドロップトレイを取り付けた成端用ベーストレイを背面側に立ち上げた状態の縦断面概略図である。
【００５０】
また、図９は、本発明に係る光ケーブル接続用クロージャの第２の実施形態における成端用ベーストレイに備えられたドロップトレイを示したもので、（ａ）は素線面側、（ｂ）はテープ面側の構成を示した概略図である。そして、符号については、６２がドロップトレイ、６４がドロップケーブル接続部材収納部、６６がドロップケーブル接続部材、６７がドロップケーブル固定部、Ｆがコネクタ付き割り入れ心線を示すほかは、第１の実施形態におけるものと同様である。
【００５１】
図８に示すように、本実施形態における光ケーブル接続用クロージャ１０のクロージャ本体３６は、まず、ヒンジにて一体に連接され、片面が開閉自在に構成されたスリーブ３８に覆われる構成となっており、さらに、光ケーブルＡ及び支持線Ｄをシール部材を介して導入させる上流側端面板４４と、光ケーブルＡ、支持線Ｄをシール部材を介して導出入させる下流側端面板４６が両端にそれぞれ着脱自在に備えられている。
【００５２】
なお、端面板４４及び４６は、例えば、図１３（ａ）に示すように、上流側端面板４４には、支持線Ｄ挿入部と、主ケーブル（光ケーブルＡ）挿入部が形成されており、また、（ｂ）に示すように、下流側端面板４６には、支持線Ｄ挿入部と、主ケーブル（光ケーブルＡ）挿入部等の挿入部が形成されている。さらに、例えば、ドロップ機能専用として用いる際には、（ｃ）に示す、下流側端面板４６の構成とする。そして、ゴムやプラスチックの組み合わせにて、防滴が可能となっている。
【００５３】
そして、端面板４４、４６から導出入される光ケーブルＡは、ケーブル把持部材５０によって把持される構成となっており、詳しくは、図１４に示すように、光ケーブルＡを側面視コ字状のケーブル把持具５４の側壁間に挟み込んだ状態で（図１４（ａ）参照）、ケーブル把持具５４の両側壁をケーブル固定部５２のそれぞれ対応する嵌合孔に挿入させることで（図１４（ｂ）参照）、光ケーブルＡをケーブル把持部材５０に把持させるようになっている（図１４（ｃ）参照）。
【００５４】
次に、クロージャ本体３６内には、上流側の光ファイバＡから所定箇所にて切り出した光ファイバ心線Ｂを下流側の光ファイバ心線Ｂ（スプリッタ２４への入力線及びドロップトレイ６２側への入力線）に接続させるための心線接続部１６を収納する心線接続部収納部１４が形成された成端用背面トレイ１２が備えられている。
【００５５】
また、成端用背面トレイ１２に光ファイバ心線Ｂの心線余長部分を巻回させた状態で収納するための、心線余長収納部６０を心線接続部収納部１４の近傍に形成させておけば、光ファイバ心線Ｂの安全な保護管理を図れるようになるため、実施形態として非常に好ましい。
【００５６】
そして、裏面に下流側の光ファイバ心線Ｂ（入力線）を表面側から引き込み、その入力線と、下流側の単心ドロップケーブルＣとを接続させるドロップケーブル接続部材６６を収納するドロップケーブル接続部材収納部６４が形成されたドロップトレイ６２が備えられた成端用ベーストレイ１８が、その一端に形成されている引っ掛け部５６をクロージャ本体３６内に形成されたトレイ係止部材２０に引っ掛けることよって、トレイ係止部材２０を軸中心として回動自在に設けられている。
【００５７】
成端用ベーストレイ１８は、その一端に形成された２箇所の引っ掛け部５６をトレイ係止部材２０にそれぞれ引っ掛けることにより、クロージャ本体３６内に係止させた状態で、トレイ係止部材２０を軸中心に回動させることができるため、成端用ベーストレイ１８の表裏面に対する作業を作業者がわざわざ移動することなく行えるようになっており、作業効率の大幅な向上が可能となっている。
【００５８】
続いて、ドロップトレイ６２は、図８（ｂ）に示すように、成端用ベーストレイ１８の裏面側に形成されているトレイ固定用ヒンジ部２６に回動自在に備えられている。
【００５９】
また、本実施形態においては、トレイ固定用ヒンジ部２６は、ヒンジ構造となっており、ドロップトレイ６２をトレイ固定用ヒンジ部２６に対し、所定角度において保持可能なものとなっている。このような構造とすることで、作業者のドロップトレイ６２へのアクセスが極めて容易なものとなるわけである。なお、本実施形態では、トレイ固定用ヒンジ部２６をヒンジ構造としているが、ドロップトレイ６２を固定できるのであれば、どのようなヒンジ構造であっても構わない。
【００６０】
続いて、本実施形態におけるドロップトレイ６２は、図８（ｂ）に示すように、上流側の光ファイバ心線Ｂ（入力線）と接続したコネクタ付き割り入れ心線Ｆを表面側から引き込み、その入力線と、下流側の単心ドロップケーブルＣとを接続させるドロップケーブル接続部材６６（ＦＡＳプラグ、ＦＡＳソケット）を収納するドロップケーブル接続部材収納部６４が形成されているもので、ドロップトレイ６２の表側、即ち、コネクタ付き割り入れ心線Ｆを引き込む側には、図９（ａ）の素線面を割り当てる。
【００６１】
そして、ドロップケーブル接続部材６６により接続させる単心ドロップケーブルＣは、ドロップトレイ６２の裏面、即ち、図９（ｂ）のドロップ面側で、ドロップケーブル固定部６７により固定されつつ、外部へとドロップされるようになっている。また、コネクタ付き割り入れ心線Ｆと接続させる単心ドロップケーブルＣを、再び、ドロップトレイ６２の裏面から表面へと通し、ケーブル把持部材５０により固定しつつ、下流側端面板４６を通じて、外部へとドロップさせるようにもなっている。
【００６２】
また、ドロップケーブル接続部材６６に接続させずにスプリッタ２４に接続される単心ドロップケーブルＣも、ドロップ面を通じて、そして、ドロップケーブル接続部材６６に接続させずにスプリッタ２４に接続される光ファイバ心線Ｂも、ドロップトレイ６２の裏面から表面を通されていくようになっている。
【００６３】
またさらに、本実施形態における光ケーブル接続用クロージャ１０のスリーブ３８は、図７に示すように、片面を開閉自在に構成された分割スリーブからなるとともに、クロージャ設置位置により作業が可能の方向のスリーブ面を開放可能の構成とし、片開きに開放されたスリーブ３８を所定位置に保持するスリーブストッパー４０を分割スリーブ間に跨って係脱自在に設けられている。そのため、作業時にスリーブ３８を外すことなく開拡するスリーブの開放状態を保持でき、作業効率の向上が望まれる。
【００６４】
本実施形態では、スリーブ３８は、ヒンジ構造により分割可能に一体で連接されているとともに、先端にフランジのあるピン４２が両端面に一対突設され、このピン４２に嵌合する係止溝４３が一端に１つ、他端に２つ設けられたスリーブストッパー４０が係脱自在に備えられるといった構成となっている。
【００６５】
スリーブ３８を閉じた状態では、図７（ｂ）に示すように、スリーブストッパー４０の一端側の外側の係止溝４３をスリーブ３８のピン４２に嵌合係止することで、日常に起こり得るスリーブ３８の亀裂等による片面側の脱落等を防ぐことができるようになっている。
【００６６】
そして、一方の作業面側のスリーブ３８を開けた状態では、図７（ａ）に示すように、スリーブストッパー４０の一端側の内側の係止溝４３をスリーブ３８のピン４２に嵌合係止することで、スリーブ３８の開放状態を維持することができるようになっている。
【００６７】
続いて、本発明に係る光ケーブル接続用クロージャのその他の実施形態について説明する。なお、図１０は、本発明に係る光ケーブル接続用クロージャのその他の実施形態における保留部材を示したもので、（ａ）は正面図、（ｂ）は平面図である。また、図１１は、本発明に係る光ケーブル接続用クロージャのその他の実施形態における成端用ベーストレイの裏面側にスプリッタトレイと、保留部材を取り付け、背面側に倒した状態を示した概略図である。符号については、６８が保留部材、７０が挿入孔、７２が取り付け部材を表している。
【００６８】
本実施形態は、光ケーブル接続用クロージャ１０であって、図１１に表すように、成端用ベーストレイ１８の裏面側に左右１対備えられるスプリッタトレイ２２の裏面側に、或いは、成端用ベーストレイ１８の裏面側に直接、保留部材６８を取り付けてなるものである。保留部材６８は、ファンアウトコードＥや、単心ドロップケーブルＣのうち、接続に使用されないものを一時的に保留させておくもので、図１０に示すように、ケーブルを挿入する挿入孔７０が複数形成されている。なお、保留部材６８は、成端用ベーストレイ１８の裏面に直接備えることもできるようになっている。
【００６９】
さらに、スプリッタトレイ２２や、成端用ベーストレイ１８の裏面に取り付けるための、取り付け部材７２が形成されている。この保留部材６８をスプリッタトレイ２２の裏面側や、成端用ベーストレイ１８の裏面から当て込み、取り付け部材７２をスプリッタトレイ２２側面や、成端用ベーストレイ１８の裏面に形成されている溝に嵌めることで固定させるようになっている。このように保留部材６８を取り付けておくことにより、作業時において接続に使わないファンアウトケーブルＥや、単心ドロップケーブルＣを邪魔にならないよう効果的に保留させておくことができるわけである。
【産業上の利用可能性】
【００７０】
本発明に係る光ケーブル接続用クロージャは、小型化及び軽量化、そして、作業効率が大幅に改善されるものであるため、多種多様な設置場所において作業する際に、好適に用いることができるものである。
【符号の説明】
【００７１】
１０  光ケーブル接続用クロージャ
１２  成端用背面トレイ
１４  心線接続部収納部
１６  心線接続部
１８  成端用ベーストレイ
２０  トレイ係止部材
２２  スプリッタトレイ
２４  スプリッタ
２６  トレイ固定用ヒンジ部
２８  分岐部材収納部
３０  分岐部材
３１  挟持部材
３２  摘み部
３３  接続部材収納部
３４  接続部材
３５  蓋部
３６  クロージャ本体
３８  スリーブ
４０  スリーブストッパー
４２  ピン
４３  係止溝
４４  上流側端面板
４６  下流側端面板
４８  通過心線ガイド
５０  ケーブル把持部材
５２  ケーブル固定部
５４  ケーブル把持具
５６  引っ掛け部
６０  心線余長収納部
６２  ドロップトレイ
６４  ドロップケーブル接続部材収納部
６６  ドロップケーブル接続部材
６７  ドロップケーブル固定部
６８  保留部材
７０  挿入孔
７２  取り付け部材
Ａ  光ケーブル
Ｂ  光ファイバ心線
Ｃ  単心ドロップケーブル
Ｄ  支持線
Ｅ  ファンアウトコード
Ｆ  コネクタ付き割り入れ心線
【図１】
2014235227.tif 000003
【図２】
2014235227.tif 000004
【図３】
2014235227.tif 000005
【図４】
2014235227.tif 000006
【図５】
2014235227.tif 000007
【図６】
2014235227.tif 000008
【図７】
2014235227.tif 000009
【図８】
2014235227.tif 000010
【図９】
2014235227.tif 000011
【図１０】
2014235227.tif 000012
【図１１】
2014235227.tif 000013
【図１２】
2014235227.tif 000014
【図１３】
2014235227.tif 000015
【図１４】
2014235227.tif 000016